(57)【要約】【課題】打設高さを確実に測定することを可能にする水中不分離性コンクリート／モルタルの打設高さ測定方法を提供する。【解決手段】下端にウキ本体３ａを備え、ウキ本体３ａに下端を接続して上下方向に延びる直棒状の基準棒３ｂを備えて形成され、水１に沈み、水中不分離性コンクリート又は水中不分離性モルタル２に浮くウキ部材３を用い、水中不分離性コンクリート又は水中不分離性モルタル２を打設する水中の所定位置にウキ本体３ａを配置した状態で水中不分離性コンクリート又は水中不分離性モルタル２を打設し、水面から上方に突出する基準棒３ｂの突出量Ｈを捉えることで水中不分離性コンクリート又は水中不分離性モルタル２の打設高さを測定するようにした。【選択図】図１
2017150163.tif 000002
【特許請求の範囲】
【請求項１】
水中不分離性コンクリート又は水中不分離性モルタルを水中打設するにあたり、その打設高さを測定する方法であって、
下端にウキ本体を備え、該ウキ本体に下端を接続して上下方向に延びる直棒状の基準棒を備えて形成され、水に沈み、水中不分離性コンクリート又は水中不分離性モルタルに浮くウキ部材を用い、
水中不分離性コンクリート又は水中不分離性モルタルを打設する水中の所定位置に前記ウキ本体を配置した状態で水中不分離性コンクリート又は水中不分離性モルタルを打設し、水面から上方に突出する前記基準棒の突出量を捉えることで水中不分離性コンクリート又は水中不分離性モルタルの打設高さを測定するようにしたことを特徴とする水中不分離性コンクリート／モルタルの打設高さ測定方法。
【発明の詳細な説明】
【技術分野】
【０００１】
本発明は、水中不分離性コンクリート又は水中不分離性モルタルを水中打設するにあたり、その打設高さを測定する方法に関する。
【背景技術】
【０００２】
従来、コンクリートやモルタルを用いて水中に構造物を構築する際には、水中不分離性混和剤を添加し、水中で分離せず、均質に打設することができ、強度低下を招くことがない水中不分離性コンクリートや水中不分離性モルタル（水中不分離性材料）が多用されている。
【０００３】
一方、このような水中施工では、濁った水中や、人が近づくことができない状況でコンクリートやモルタルを打設するケースが多々あるが、このような場合であっても、当然、打設高さを測定し施工管理を行う必要がある（例えば、特許文献１参照）。
【０００４】
そして、従来、打設高さを測定する方法として、魚群探知機のように超音波を使って施工中、随時、水中のコンクリートやモルタルを捉え、打設高さの変化を捉える方法が多用されている。
【先行技術文献】
【特許文献】
【０００５】
【特許文献１】特開２００９−８３３５３号公報
【発明の概要】
【発明が解決しようとする課題】
【０００６】
しかしながら、従来の超音波を用いた水中不分離性コンクリート／モルタルの打設高さ測定方法は、水深が浅い場合など、水中不分離性コンクリート／モルタルの天端と水面との距離が超音波による測定方法の限界値を下回ってしまうと、適用できないという問題があった。
【０００７】
本発明は、上記事情に鑑み、打設高さを確実に測定することを可能にする水中不分離性コンクリート／モルタルの打設高さ測定方法を提供することを目的とする。
【課題を解決するための手段】
【０００８】
上記の目的を達するために、この発明は以下の手段を提供している。
【０００９】
本発明の水中不分離性コンクリート／モルタルの打設高さ測定方法は、水中不分離性コンクリート又は水中不分離性モルタルを水中打設するにあたり、その打設高さを測定する方法であって、下端にウキ本体を備え、該ウキ本体に下端を接続して上下方向に延びる直棒状の基準棒を備えて形成され、水に沈み、水中不分離性コンクリート又は水中不分離性モルタルに浮くウキ部材を用い、水中不分離性コンクリート又は水中不分離性モルタルを打設する水中の所定位置に前記ウキ本体を配置した状態で水中不分離性コンクリート又は水中不分離性モルタルを打設し、水面から上方に突出する前記基準棒の突出量を捉えることで水中不分離性コンクリート又は水中不分離性モルタルの打設高さを測定するようにしたことを特徴とする。
【発明の効果】
【００１０】
本発明の水中不分離性コンクリート／モルタルの打設高さ測定方法においては、水深が浅い場合などであっても、水中不分離性モルタルなどを打設する時の打設高さを確実に測定することができる。また、濁水中への打設施工であっても、基準棒の突出量（基準棒の位置）を捉えることで、やはり打設高さの変化を把握することができ、確実に打設高さを測定することができる。
【００１１】
よって、濁った水中や、人が近づくことができない状況でコンクリートやモルタルを打設するケースであっても、好適に打設高さを測定し施工管理を行うことが可能になる。
【図面の簡単な説明】
【００１２】
【図１】本発明の一実施形態に係る水中不分離性コンクリート／モルタルの打設高さ測定方法を示す図である。
【発明を実施するための形態】
【００１３】
以下、図１を参照し、本発明の一実施形態に係る水中不分離性コンクリート／モルタルの打設高さ測定方法について説明する。
【００１４】
ここで、本実施形態は、例えば濁った水中や、人が近づくことができない状況で水中不分離性コンクリート又は水中不分離性モルタルを打設するにあたり、好適に打設高さを測定し施工管理を行うことを可能にする方法に関するものである。
【００１５】
本実施形態の水中不分離性コンクリート／モルタルの打設高さ測定方法においては、図１に示すように、水１よりも密度（単位容積質量、比重）が大きく、水中不分離性コンクリート／モルタル２よりも密度（単位容積質量、比重）が小さいウキ部材３を用いる。
【００１６】
すなわち、ウキ部材３には、水１に沈むが水中不分離性コンクリート／モルタル２に浮くものが用いられ、本実施形態では、ウキ部材３の下端に設けられるウキ本体３ａと、ウキ本体３ａに下端を接続して上方に延びる直棒状の基準棒３ｂとを備えてウキ部材３が構成されている。また、このウキ部材３は、水中に配した状態で基準棒３ｂが真っ直ぐ上下方向に立設するように構成され、且つ水中に配した状態で基準棒３ｂが水面から上方に突出するように所定の長さをもって構成されている。
【００１７】
そして、本実施形態の水中不分離性コンクリート／モルタルの打設高さ測定方法では、ウキ部材３のウキ本体３ａを水中の所定の打設位置に配置した状態で水中不分離性コンクリート／モルタル２の水中打設を行う。また、本実施形態では、水中の所定の打設位置に、例えばメッシュなど、水中不分離性コンクリート／モルタル２が内部に流入可能な筒状の部材４を軸線を上下方向に向けて配置し、この筒状の部材４の内部にウキ本体３ａを配置する。
【００１８】
この状態で水中不分離性コンクリート／モルタル２を水中打設すると、ウキ部材３が水１に沈むが水中不分離性コンクリート／モルタル２に浮くため、水中不分離性コンクリート／モルタル２に押し上げられ、常時、水中不分離性コンクリート／モルタル２の天端２ａ位置（水中不分離性コンクリート／モルタル２と水１の界面位置）にウキ本体３ａが配されることになる。
【００１９】
また、水中不分離性コンクリート／モルタル２が順次打設され、ウキ本体３ａが押し上げられると、これとともに基準棒３ｂが水面から上方にさらに突出する。これにより、基準棒３ｂの突出量Ｈを計測することによって、水中不分離性コンクリート／モルタル２の打設高さを求めることができる。
【００２０】
なお、本実施形態では、打設高さ方向に立てた筒状の部材４の内部に、ウキ部材３を配設するため、水中不分離性コンクリート／モルタル２の打設時にウキ部材３が横方向に移動して測定精度が低下することを防止できる。
【００２１】
したがって、本実施形態の水中不分離性コンクリート／モルタルの打設高さ測定方法によれば、水深が浅い場合などであっても、基準棒３ｂの突出長さ（位置変化）を捉えることで、水中不分離性コンクリート又は水中不分離性モルタル２を打設する時の打設高さを確実に測定することができる。また、濁水中への打設施工であっても、基準棒３ｂの突出長さ（位置変化）によって、やはり打設高さの変化を把握することができ、確実に打設高さを測定することができる。
【００２２】
以上、本発明に係る水中不分離性コンクリート／モルタルの打設高さ測定方法の一実施形態について説明したが、本発明は上記の一実施形態に限定されるものではなく、その趣旨を逸脱しない範囲で適宜変更可能である。
【符号の説明】
【００２３】
１    水
２    水中不分離性コンクリート又は水中不分離性モルタル
３    ウキ部材
３ａ  ウキ本体
３ｂ  基準棒
４    筒状の部材
【図１】
2017150163.tif 000003